(57)【要約】【課題】河川あるいは海上などに事故や災害等によって原油や重油等が流出した場合に、流出した油が広く拡散してしまわないうちに速やかに流出した油を補集して回収し、油吸着後の処理も容易な油吸着手段を提供する。【解決手段】ポリプロピレン繊維の不織布シートから構成された油吸着シートの一端側に形成された折り返し部分にロープ通し穴と油吸着剤が装填された油吸着保持部とを有するマット状油吸着部材を用い、上記ロープ通し穴にロープを通し、ロープを中心に上記マット状油吸着部材の折り返し部分を巻回して、上記油吸着保持部が上記ロープ通し穴の近傍になるようにして丸め、結束バンドにより固定してなることを特徴とするマット状オイルストッパー。【選択図】図３
2014039920.tif 000002
【特許請求の範囲】
【請求項１】
ポリプロピレン繊維を素材とする不織布から構成された油吸着シートの一端側に折り返し部分が形成され、該折り返し部分に筒状に形成されたロープ通し穴と、袋状に形成された部分に油吸着材を装填封止してなる油吸着保持部とを有することを特徴とするマット状油吸着部材。
【請求項２】
上記油吸着シートが、ポリプロピレン繊維を素材とする不織布シートを複数枚重ねて構成されていることを特徴とする請求項１記載のマット状油吸着部材。
【請求項３】
ポリプロピレン繊維の不織布シートからなる油吸着シートの一端側に形成された折り返し部分にロープ通し穴と油吸着剤が装填された油吸着保持部とを有するマット状油吸着部材を用い、上記ロープ通し穴にロープを通し、ロープを中心に上記マット状油吸着部材の折り返し部分を巻回して、上記油吸着保持部が上記ロープ通し穴の近傍になるようにして丸め、結束バンドにより固定してなることを特徴とするマット状オイルストッパー。
【請求項４】
上記油吸着シートが、ポリプロピレン繊維を素材とする不織布シートを複数枚重ねて構成されていることを特徴とする請求項１記載のマット状油吸着部材。
【請求項５】
請求項３または請求項４記載のマット状油吸着部材が、一本のロープに複数個取り付けられていることを特徴とする連結マット状オイルストッパー。
【発明の詳細な説明】
【技術分野】
【０００１】  本発明は、河川、湖沼、あるいは海上などに流出した油等を回収・除去するための油吸着部材に関するものである。
【背景技術】
【０００２】  河川、湖沼、あるいは海上などに事故や災害等によって原油や重油等が流出した場合、自然環境や生態系に与える影響は計り知れないものがある。また、油等の流出自体が収まった後に、一旦影響を受けた環境が元の状態に戻るためには、きわめて多大な時間を要する。このため、このような流出事故が発生した場合等には、早急に油の流出を阻止するとともに、流出した油が広く拡散してしまわないうちに速やかに流出した油を補集して回収し、環境等への影響を最小限に抑える必要がある。
従来、海面や水面に流出した油の流出事故防止対策として、オイルフェンスで流出油を囲み、その内惻にポリプロピレン製不織布等の親油性素材よりなるシ−ト状の油吸着材を投入して油吸着することにより流出油を回収する方法が多用されている。しかし、種々の吸着材を投入する方法では、油の吸着はできるが油類の流出、拡散は防げないし、油類を吸着した油吸着材が波や風に流されて拡散するので回収作業が困難であった。【０００３】  このため、仕切部で袋状のネット内を複数の区画に区切り、仕切部で区切られた各区画の各開閉部に出し入れ可能な止め具を取り付け、少なくとも１枚以上または１個以上の市販の油吸着材をネットに収納した構成の油吸着機能性オイルネットが提案されている。（特許文献１）
しかし、上記構成の油吸着機能性オイルネットでは、油回収作業の効率を上げるために収納するマット状油吸着材の枚数を増すと、それに比例して、油を吸着した油吸着機能性オイルネットを水面等から回収する作業が多く必要になるという問題がある。【０００４】  また、長尺な親油性素材よりなる油吸着シートをジグザグに折りたたんで格納しておき、油流出等が生じたときに、格納状態より取出して折りたたんだまま海面又は水面に投下し、ついで油吸着シートを延張して海面又は水面に流出又は浮遊する油を取り囲み、絞り込んで回収する方法も知られている。（特許文献２）
この方法で用いる油吸着シートには、通常、ポリプロピレンを原料とし、繊維の太さが０．１〜１０００μｍ程度のスパンボンド法によって得られた連続繊維からなり、巾が１０ｃｍ〜２ｍ程度で、長尺方向の長さが５〜１００ｍ程度の不織布が使用されているが、このような長尺の油吸着シートを用いた場合には、回収時に吸着した油が水流による圧力や重力などにより水面に滴下または漏出してしまうことが多い。
【先行技術文献】
【０００５】
【特許文献１】特開２０００−１７６４０号
【特許文献２】特開２０００−５６４号
【発明の概要】
【発明が解決しようとする課題】
【０００６】  上述したように、油流出事故が発生した場合等には、流出した油が広く拡散しないうちに速やかに流出した油を補集して回収する必要がある。このため、流出した油の吸着性能が良好であるとともに、吸着した油を水流による圧力や重力などによって滴下または漏出することなく、確実に回収できる油吸着部材の実現と、該油吸着部材を用いた作業性の良い流出油の回収方法が求められている。
【課題を解決するための手段】
【０００７】  本願発明は、上記課題を解決するためになされたものであり、本願第１の発明は、ポリプロピレン繊維を素材とする不織布からなるシートを２枚重ねて構成された油吸着シートの一端側に折り返し部分が形成され、該折り返し部分に筒状に形成されたロープ通し穴と、袋状に形成された部分に油を吸着後再溶出しない油吸着材を装填封止してなる油吸着保持部とを有することを特徴とするマット状油吸着部材である。
本発明によれば、油吸着シートがポリプロピレン繊維からなる不織布シートを２枚以上重ねたものであるため、油を速く確実に吸着することができ、かつ重力による滴下等が少なくて油の保持量も大きいという効果がある。また、任意径のロープ通し穴が独立して形成されているため、油回収作業中に切れたりしない太さのロープが使用できるとともに、ロープ通し穴を２層のシートで形成しているので流速の大きい個所でも十分な強度を確保でき、作業の信頼性を向上できる。さらにまた、油吸着保持部には装填された油吸着材が油吸着シートで包み込まれた形態で存在しているため、油吸着シートで吸着した油が更に内部の油吸着材に吸着されて確実に保持され、吸着後回収時の油漏出量が極めて少なくなるという効果もある。【０００８】  本願第２の発明は、上記第１の発明によるマット状油吸着部材を用い、上記ロープ通し穴にロープを通し、ロープを中心に上記マット状油吸着部材の折り返し部分を巻いて丸め、上記油ストッパー部が上記ロープ通し穴の近傍に結束バンドにより固定してなることを特徴とするマット状オイルストッパーである。このように構成することで、波の水流の影響による油吸着ムラなどを低減することができる。
本願第３の発明は、一本のロープに多数のマット状連結型油吸着部材が連結取り付けられていることを特徴とするマット状連結型オイルストッパーである。このように構成することで、油吸着・保持機能に優れたオイルフェンス機能を有する油回収作業を実現できる。
【発明の効果】
【０００９】  本願発明によれば、水面等に流出した油をすばやく油吸着シートに吸着させて回収することができるとともに、油吸着シートで回収した油を更に油吸着シート内部の油吸着材と反応させて確実に保持することができ、滴下や漏出量の極めて少ない油回収・除去作業を実現することができる。
【図面の簡単な説明】
【００１０】
【図１】図１は、本発明における油吸着シートの概略構成説明図である。
【図２】図２は、油吸着シートの一端側に折り返し部分を有するマット状油吸着部材の概略全体構成図である。
【図３】図３は、マット状油吸着部材における折り返し部分の拡大断面構成説明図である。
【図４】図４は、マット状油吸着部材の折り返し部分を、ロープを中心に巻回して丸めたマット状オイルストッパーの要部構成説明図（断面図）である。
【図５】図５は、マット状オイルストッパーの全体構成説明図である。
【図６】図６は、マット状連結型オイルストッパーの全体構成説明図である。
【発明を実施するための最良の形態】
【００１１】  以下、本発明の実施形態について図を参照して説明する。図１乃至図３は、本発明におけるマット状油吸着部材の一実施形態について説明するための図であり、図１は油吸着シートの概略構成説明図、図２は油吸着シートの一端側に折り返し部分を有するマット状油吸着部材の概略全体構成図、図３はマット状油吸着部材における折り返し部分の拡大断面構成説明図である。
図１に示すように、本発明において、油吸着シート１は、ポリプロピレンを原料とした繊維素材からなる油吸着性のシート２を例えば２枚重ね、複数箇所を縫製加工し、一体化して構成されている。図１に示す例では、縦方向に６列、横方向に７列縫製してあるが、縫製箇所３はシートの大きさ等に応じて適宜決めれば良い。また、油吸着性のシートとしては、親油性・疎水性という２つの特性を持つポリプロピレンを原料とした長繊維不織布を用いることが好ましい。【００１２】  図２に示すように、本発明によるマット状油吸着部材４は、上記油吸着シート１の一端側に折り返し部５を有する。この折り返し部５には横方向の縫製がＡ、Ｂの二箇所に施されており、これによって、図３に示すように、マット状油吸着部材４の端部側には貫通した袋状のロープ通し穴６が形成され、隣接して油吸着材装填用の空間部７が形成される。そして、この空間部７の一端側Ｃをあらかじめ縫製し、他端側の開口部分から油吸着材８を装填した後、他端側Ｄを縫製することで油吸着材８を封止してある。本発明において、上記油吸着材としては油吸着後再溶出せず、なおかつ吸着した油類をバクテリアが生分解処理する有機生分解性粉末油吸着材を用いることが好ましく、このような油吸着材を用いた場合には、吸着回収処理した油等が微生物の浄化作用により無害化されてしまうため、二次汚染の恐れが無い。なお、このような吸着材としては、例えば、米国フェーズＩＩＩ社のオイルスポンジ（登録商標）などがある。【００１３】  上記本発明によるマット状油吸着部材４は、ロープ通し穴６にロープを通して、そのまま使用しても良いが、以下のようにして使用することが好ましい。
図４に示すように、ロープ通し穴６にロープ９を通し、次いでロープ９を中心にしてマット状油吸着部材４の折り返し部５を巻き回して丸め、図５に示すように結束バンド１０で固定して、マット状オイルストッパー１１とする。本発明によるマット状オイルストッパーは、図４に示すように、ロープ９の近傍に油吸着シート１と油吸着材８が存在するため、風や水流によって水面が波打ったときでも流出した油を適切に油吸着シート１に吸着でき、かつ油吸着シート１に吸着した油が更に内部にある吸着材８に吸着され捕集されるため、吸着した油の滴下や漏出を防ぐことができる。【００１４】  本発明による上記マット状オイルストッパー１１は、図６に示すように、一本のロープ９に多数のマット状オイルストッパー１１を連結して、マット状連結型オイルストッパー１２の形態で使用することが好ましい。連結するマット状オイルストッパー１１は、通常、全て同じものを使用するが、種々の条件を考慮して、大きさの異なるマット状オイルストッパーを組み合わせて連結するか、性能の異なる油吸着材を装填したマット状オイルストッパーを組み合わせて連結しても良い。
マット状連結型オイルストッパーは、通常、シート部分を積み重ねて格納しておき、河川や海上などに事故や災害等によって原油や重油等が流出した場合には、格納状態より取出して積み重ねたまま水面上に投下し、ついでロープの両端を引っ張ってマット状オイルストッパーを水面上に展開するか、滑車で両岸に敷設してあるロープにマット状連結型オイルストッパーのロープの片端を結びつけ水面上に展開するなどして容易にオイルフェンスを構築し、流出又は浮遊する油を吸着回収できるため、作業が迅速で且つ容易である。これは可搬式オイルフェンスと組み合わせて使用すればさらに効果的である。
【実施例】
【００１５】  油吸着性のシートとして、幅５００ｍｍ×長さ９００ｍｍ×厚さ４ｍｍのポリプロピレンを原料とした不織布を２枚重ねて使用し、幅方向シート端から１０ｍｍ、１００ｍｍ、２００ｍｍ、３００ｍｍ、４００ｍｍ、４９０ｍｍの位置で長さ方向（縦方向）に縫製するとともに、長さ方向シート端から１０ｍｍ、１５０ｍｍ、３００ｍｍ、４５０ｍｍ、６００ｍｍ、７５０ｍｍ、８９０ｍｍの位置で横方向に縫製して、油吸着シートを作製した。
このようにして構成した本実施例油吸着シートは、油吸着性のシートを１枚使ったものに比べて、油吸着量が約１．５倍、吸着後１５分経過後の油残存量が約２．５倍と極めて良好な特性を有していることが判った。【００１６】  次に、この油吸着シートの先端から約１２０ｍｍの長さ部分を折り返し、折り返し位置（線）から３５ｍｍの位置に第一の幅方向縫製を施し、折り返し位置（線）から９５ｍｍの位置に第二の幅方向縫製を施した。第一の幅方向縫製により両端が開口した袋状のロープ通し穴が形成され、第二の幅方向縫製により、第一の幅方向縫製部分と第二の幅方向縫製部分との間に油吸着材装填用の袋状の空間部が形成された。この空間部の一方の開口端を縦方向に縫製して塞いだ後、他方の開口端から有機生分解性粉末吸着材（米国フェーズＩＩＩ社：商品名「オイルスポンジ」を装填し、次いで、開口端を縦方向に縫製して密封して、本発明マット状油吸着部材を作製した。
次に、ロープ通し穴にポリエステル製で１５ｍｍ径のロープを通し、ロープを中心として折り返し部から巻き回して約６０ｍｍ径の大きさに丸め、ナイロン製の結束バンドで３箇所を固定して、大きさが幅５００ｍｍ×長さ７００ｍｍ×厚さ８ｍｍのマット状オイルストッパーを作製した。
このように構成した本発明のマット状オイルストッパーは、ロープを中心に巻いて丸めた吸着部分を有するため、穏やかな水面上に浮遊する油は勿論、比較的流れの強い河川においても良好な油吸着と捕集ができ、効率の良い回収ができた。【００１７】  さらにまた、同じ一本のロープに大きさ幅５００ｍｍ×長さ７００ｍｍ×厚さ８ｍｍの上記マット状オイルストッパーを１３枚連結して固定し、これに、油吸着性のシートとして幅５００ｍｍ×長さ７００ｍｍ×厚さ４ｍｍのものを使用した以外は上記と同様にして作製した長さ５００ｍｍの大きさのマット状オイルストッパーを更に５枚連結固定し、更に上記長さ７００ｍｍのマット状オイルストッパーを１３枚連結して、２９ｍの長さのロープに合計３１枚のマット状オイルストッパーを固定したマット状連結型オイルストッパーを作製した。
得られたマット状連結型オイルストッパーを水流の比較的早い河川に展開して、良好な結果を得ることができた。
上記実施例においては、不織布シートを２枚重ねて構成したが、場合により３〜５枚程度重ねて構成することもできる。
【産業上の利用可能性】
【００１８】  河川、湖沼、あるいは海上などに事故や災害等によって原油や重油等が流出した場合に、流出した油が広く拡散してしまわないうちに速やかに流出した油を補集して回収し、油吸着後の処理もすばやくスムーズに行えるとともに、環境等への影響を最小限に抑えることができる優れた油吸着部材およびそれを用いたマット状連結型オイルストッパーである。
【符号の説明】
【００１９】１：油吸着シート
２：マット状油吸着素材
３：縫製部
４：マット状油吸着部材
５：折り返し部
６：ロープ通し穴
７：空間部
８：油吸着材
９：ロープ
１０：結束バンド
１１：マット状オイルストッパー
１２：マット状連結型オイルストッパー
【図１】
2014039920.tif 000003
【図２】
2014039920.tif 000004
【図３】
2014039920.tif 000005
【図４】
2014039920.tif 000006
【図５】
2014039920.tif 000007
【図６】
2014039920.tif 000008